(57)【要約】【課題】高周波電磁シールドルームを不要とし、種々の被検体に柔軟に適合しやすく、かつ高周波電磁シールド性を向上させる。【解決手段】傾斜磁場発生手段３と静磁場発生手段４とが配設されたガントリー２内の被検体収容部２１ａに被検体Ｗを収容して磁気共鳴画像を撮像する磁気共鳴イメージング装置１であって、ガントリー２に配設され静磁場発生手段４と傾斜磁場発生手段３とを覆うガントリー本体シールド材２１ｂと、被検体Ｗを受け入れるガントリー開口部２２と、ガントリー開口部２２を覆う遮蔽部材２３と、遮蔽部材２３に配設されガントリー開口部２２を覆う開口部シールド材２３ａと、遮蔽部材２３をガントリー開口部２２に対して開閉自在に移動させる開閉手段２４と、被検体収容部に着脱自在に配設され、被検体Ｗに高周波パルスを照射し被検体ＷからのＮＭＲ信号を検出する高周波コイル５と、を備えた。【選択図】図２
2016112344.tif 000002
【特許請求の範囲】
【請求項１】
傾斜磁場発生手段と静磁場発生手段とが配設されたガントリー内の被検体収容部に被検体を収容して磁気共鳴画像を撮像する磁気共鳴イメージング装置であって、
前記ガントリーに配設され前記静磁場発生手段と前記傾斜磁場発生手段とを覆うとともに高周波をシールドするガントリー本体シールド材と、
前記被検体を受け入れるガントリー開口部と、
このガントリー開口部を覆う遮蔽部材と、
この遮蔽部材に配設され前記ガントリー開口部を覆うとともに高周波をシールドする開口部シールド材と、
前記遮蔽部材を前記ガントリー開口部に対して開閉自在に移動させる開閉手段と、
前記被検体収容部に着脱自在に配設され、前記被検体に高周波パルスを照射し当該被検体からの微弱なＮＭＲ信号を検出する高周波コイルと、
を備えたことを特徴とする磁気共鳴イメージング装置。
【請求項２】
前記被検体は小動物であること、
を特徴とする請求項１に記載の磁気共鳴イメージング装置。
【請求項３】
静磁場発生手段と傾斜磁場発生手段とが配設されたガントリー内の被検体収容部に被検体を収容して撮影する磁気共鳴画像の撮像方法であって、
前記ガントリーは、
前記ガントリーに配設され前記静磁場発生手段と前記傾斜磁場発生手段とを覆うとともに高周波をシールドするガントリー本体シールド材と、
前記被検体を受け入れるガントリー開口部と、
このガントリー開口部を覆う遮蔽部材と、
この遮蔽部材に配設され前記ガントリー開口部を覆うとともに高周波をシールドする開口部シールド材と、を備え、
前記被検体に高周波パルスを照射し当該被検体からの微弱なＮＭＲ信号を検出する高周波コイルを、前記ガントリーに配設されたガントリー開口部から前記被検体収容部に挿入して設置し前記被検体を撮像すること、
を特徴とする磁気共鳴画像の撮像方法。
【請求項４】
前記ガントリー開口部に配設された遮蔽部材を開けて当該ガントリー開口部を開放するガントリー開口部開放工程と、
前記ガントリー開口部から前記高周波コイルを挿入して設置する高周波コイル設置工程と、
前記遮蔽部材を閉めて前記ガントリー開口部を遮蔽して前記被検体を撮像する撮像工程と、
を含むことを特徴とする請求項３に記載の磁気共鳴画像の撮像方法。
【発明の詳細な説明】
【技術分野】
【０００１】
本発明は、磁気共鳴イメージング装置、および磁気共鳴画像の撮像方法に係り、特に、ガントリー開口部を覆う遮蔽部材を開閉自在に移動させる磁気共鳴イメージング装置、および磁気共鳴画像の撮像方法に関する。
【背景技術】
【０００２】
従来、被検者の手全体を一度に撮像することを目的として、高周波電磁シールドルームを必要としない小型の磁気共鳴イメージング装置が知られている（例えば、特許文献１）。
【０００３】
特許文献１に記載された小型磁気共鳴イメージング装置は、ＲＦプローブの開口に被検部位である手全体を覆うことができるように局所高周波電磁シールドを設けてその中に手（被検部位）を入れて撮像する。そして、局所高周波電磁シールドを接地して、撮像時における被検者の前腕と高周波的結合をすることで、高周波電磁シールドルームを不要とする。
【先行技術文献】
【特許文献】
【０００４】
【特許文献１】特開２００９−１３１４６２号公報（請求項１、段落００１７〜００２２、図２）
【発明の概要】
【発明が解決しようとする課題】
【０００５】
しかしながら、特許文献１に記載された小型磁気共鳴イメージング装置は、被検部位を限定した場合には好適であるが、種々の被検体や被検部位、例えば犬や猫等の小動物にまで適用範囲を広げようとすると被検体の大きさや形状、および被検部位も異なるため、操作性が悪く、かつ高周波電磁シールド性を確保しにくいという問題があった。
【０００６】
そこで、本発明は、高周波電磁シールドルームを不要とし、種々の被検体に柔軟に適合しやすく、かつ高周波電磁シールド性を確保することができる磁気共鳴イメージング装置、および磁気共鳴画像の撮像方法を提供することを課題とする。
【課題を解決するための手段】
【０００７】
前記課題を解決するため、請求項１に係る発明は、傾斜磁場発生手段と静磁場発生手段とが配設されたガントリー内の被検体収容部に被検体を収容して磁気共鳴画像を撮像する磁気共鳴イメージング装置であって、前記ガントリーに配設され前記静磁場発生手段と前記傾斜磁場発生手段とを覆うとともに高周波をシールドするガントリー本体シールド材と、前記被検体を受け入れるガントリー開口部と、このガントリー開口部を覆うとともに高周波をシールドする遮蔽部材と、この遮蔽部材に配設され前記ガントリー開口部を覆う開口部シールド材と、前記遮蔽部材を前記ガントリー開口部に対して開閉自在に移動させる開閉手段と、前記被検体に高周波パルスを照射し当該被検体からの微弱なＮＭＲ信号を検出する高周波コイルと、を備え、前記高周波コイルを前記被検体収容部に着脱自在に配設したこと、を特徴とする。
【０００８】
本発明に係る磁気共鳴イメージング装置は、前記被検体を受け入れるガントリー開口部を設けたことで、種々の被検体や被検部位（以下、単に「被検体」という。）に適合できるように適切な開口部を設定することによって対象とする種々の被検体に好適に適合させることができる。
【０００９】
また、前記被検体を受け入れるガントリー開口部を自在に開閉する開閉手段を設けたことで、被検体を出し入れする際の操作性を向上させることができる。そして、前記被検体を受け入れるガントリー開口部を覆う遮蔽部材に開口部シールド材を設けたことで、ガントリー開口部の高周波電磁シールド性を確保することができるため、ガントリー開口部を遮蔽した状態では、ガントリー全体の高周波電磁シールド性を確保することができる。
このようにして、ガントリーの自己シールド性を確保することで、ガントリー全体を高周波電磁シールドルームに収容する必要がないので、磁気共鳴イメージング装置を狭いスペースに設置することができる。
【００１０】
本発明に係る磁気共鳴イメージング装置は、前記高周波コイルを前記被検体収容部に着脱自在に配設したことで、高周波コイルをガントリー開口部から被検体収容部に出し入れすることができる。このため、撮像時に種々の被検体に合わせて所定の高周波コイルを装着することができるので、操作性を向上させながら多種多様な被検体に対して好適に対応することができる。
【００１１】
このようにして、本発明に係る磁気共鳴イメージング装置は、高周波電磁シールドルームを不要とし、種々の被検体に柔軟に適合しやすく、かつ高周波電磁シールド性を確保することができる。
【００１２】
請求項２に係る発明は、請求項１に記載の磁気共鳴イメージング装置であって、前記被検体は小動物であること、を特徴とする。
【００１３】
本発明に係る磁気共鳴イメージング装置は、前記被検体を受け入れるガントリー開口部を設けたことで、大きさや体形が異なる種々の小動物を容易に出し入れすることができる。また、撮像時に種々の被検体に合わせて所定の高周波コイルを装着することができるので、特に大きさや体形が異なる小動物に対して好適に適合させることができる。
【００１４】
請求項３に係る発明は、静磁場発生手段と傾斜磁場発生手段とが配設されたガントリー内の被検体収容部に被検体を収容して撮影する磁気共鳴画像の撮像方法であって、前記ガントリーは、前記ガントリーに配設され前記静磁場発生手段と前記傾斜磁場発生手段とを覆うとともに高周波をシールドするガントリー本体シールド材と、前記被検体を受け入れるガントリー開口部と、このガントリー開口部を覆う遮蔽部材と、この遮蔽部材に配設され前記ガントリー開口部を覆うとともに高周波をシールドする開口部シールド材と、を備え、前記被検体に高周波パルスを照射し当該被検体からの微弱なＮＭＲ信号を検出する高周波コイルを、前記ガントリーに配設されたガントリー開口部から前記被検体収容部に挿入して設置し前記被検体を撮像すること、を特徴とする。
【００１５】
本発明に係る磁気共鳴画像の撮像方法は、前記高周波コイルを、前記ガントリーに配設されたガントリー開口部から前記被検体収容部に挿入して設置して前記被検体を撮像することで、種々の被検体に好適に適合させることができる。このため、特に大きさや体形が異なる小動物に対して好適に適合させることができる。
【００１６】
請求項４に係る発明は、請求項３に記載の磁気共鳴画像の撮像方法であって、前記ガントリー開口部に配設された遮蔽部材を開けて当該ガントリー開口部を開放するガントリー開口部開放工程と、前記ガントリー開口部から前記高周波コイルを挿入して設置する高周波コイル設置工程と、前記遮蔽部材を閉めて前記ガントリー開口部を遮蔽して前記被検体を撮像する撮像工程と、を含むことを特徴とする。
【００１７】
本発明に係る磁気共鳴画像の撮像方法は、前記ガントリー開口部を開放するガントリー開口部開放工程を有することで、対象とする種々の被検体を出し入れする際の操作性を向上させることができる。
【００１８】
また、前記ガントリー開口部から前記高周波コイルを挿入して設置する高周波コイル設置工程を有することで、高周波コイルを容易に被検体収容部に出し入れすることができるため、撮像時に種々の被検体に合わせて所定の高周波コイルを装着することができる。このため、本発明に係る磁気共鳴画像の撮像方法は、操作性を向上させながら多種多様な被検体に対して好適に対応することができる。
【発明の効果】
【００１９】
本発明は、小型化を図りながら種々の被検体に柔軟に適合しやすく、かつ高周波電磁シールド性を確保することができる磁気共鳴イメージング装置、および磁気共鳴画像の撮像方法を提供することができる。
【図面の簡単な説明】
【００２０】
【図１】本発明の第１の実施形態に係る磁気共鳴イメージング装置の全体構成を示す正面図である。
【図２】本発明の第１の実施形態に係るガントリーの構成を示す正面断面図である。
【図３】本発明の第１の実施形態に係る高周波シールド開閉扉の開閉動作を示し、（ａ）は被検体収容部に被検体を入れて高周波シールド開閉扉を閉めた状態を示す平面図、（ｂ）は（ａ）の正面図、（ｃ）は高周波シールド開閉扉を開けて被検体を被検体収容部に入れる様子を示す平面図、（ｄ）は（ｃ）の正面図である。
【図４】本発明の第１の実施形態に係る網目状のガントリー本体シールド材を示す正面図である。
【図５】本発明の第１の実施形態に係るパンチングメタル状のガントリー本体シールド材を示す正面図である。
【図６】本発明の実施形態に係るスリット状のガントリー本体シールド材を示す正面図である。
【図７】本発明の第１の実施形態に係るスリットの向きを異なる方向に並べて絶縁材を介して複数を配設したガントリー本体シールド材を示す正面図である。
【図８】本発明の第１の実施形態に係る高周波シールド開閉扉の変形例における開閉動作を示し、（ａ）は被検体収容部に被検体を入れて高周波シールド開閉扉を閉めた状態を示す平面図、（ｂ）は（ａ）の正面図、（ｃ）は高周波シールド開閉扉を開けて被検体を被検体収容部に入れる様子を示す平面図、（ｄ）は（ｃ）の正面図である。
【図９】本発明の第２の実施形態に係る磁気共鳴イメージング装置における高周波シールド開閉扉の開閉動作を示し、（ａ）は被検体収容部に被検体を入れて高周波シールド開閉扉を閉めた状態を示す平面図、（ｂ）は（ａ）の正面図、（ｃ）は高周波シールド開閉扉を開けて被検体を被検体収容部に入れる様子を示す平面図、（ｄ）は（ｃ）の正面図である。
【図１０】本発明の第２の実施形態に係る磁気共鳴イメージング装置における高周波シールドカーテンの構成を示す正面図である。
【発明を実施するための形態】
【００２１】
本発明の第１の実施形態に係る磁気共鳴イメージング装置１について、被検体Ｗが犬や猫等の小動物である場合を例として、適宜図面を参照しながら詳細に説明する。
磁気共鳴イメージング装置１は、図１に示すように、ガントリー２内に被検体Ｗを収容して磁気共鳴画像を撮像する装置である。
磁気共鳴イメージング装置１は、傾斜磁場発生手段である傾斜磁場発生コイル３と静磁場発生手段である静磁場発生磁石４とが配設されたガントリー２と、ガントリー２の動作を制御する制御ユニット１２と、撮像条件を設定し磁気共鳴画像を再構成するコンピュータ１３と、撮像条件の設定操作画面表示や磁気共鳴画像などを表示するモニタ１４と、を備えている。
【００２２】
ガントリー２は、図２に示すように、被検体収容部２１ａを有するガントリー本体部２１と、ガントリー本体部２１に形成され被検体Ｗを出し入れするガントリー開口部２２と、ガントリー開口部２２を覆う遮蔽部材である高周波シールド開閉扉２３と、高周波シールド開閉扉２３をガントリー開口部２２に対して開閉自在に移動させる開閉手段２４（図３参照）と、被検体収容部２１ａに配設される高周波コイル５と、を備えている。
【００２３】
傾斜磁場発生コイル３，３は、ノイズフィルタ３１，３１を介して、電源ケーブル３２，３２によって制御ユニット１２（図１参照）に接続されている。
高周波コイル５は、被検体Ｗに高周波パルスを照射し被検体Ｗからの微弱なＮＭＲ（Ｎｕｃｌｅａｒ  Ｍａｇｎｅｔｉｃ  Ｒｅｓｏｎａｎｃｅ）信号を検出する。高周波コイル５は、ノイズフィルタ５１を介して高周波パルス照射用ケーブル５２、および微弱なＮＭＲ信号（核磁気共鳴信号）を受信する高周波信号検出用ケーブル５３、および微弱なＮＭＲ信号を増幅するプリアンプ５４（図２参照）を通じて制御ユニット１２に接続されている。
【００２４】
高周波コイル５は、被検体Ｗの形状等に応じて被検体Ｗに装着しやすいように種々の形態をなして構成することができるが、一例として円筒状の形状のものや、円筒状の形状の円筒を半円に割って半割にしたものを上下に向かい合わせて組み立て・分離できるように構成した物がある。
かかる構成により、被検体Ｗに高周波コイル５を装着する。
【００２５】
なお、高周波コイル５を天板２１ｅに配設して被検体収容部２１ａの中で被検体Ｗに装着してもよく、高周波コイル５を被検体Ｗに装着した状態で被検体収容部２１ａの中へ高周波コイル５と一緒に被検体Ｗを挿入してもよいし、高周波コイル５を被検体Ｗに装着した状態で被検体収容部２１ａの中で高周波コイル５を天板２１ｅに配設してもよい。
【００２６】
磁気共鳴イメージング装置１は、高周波コイル５によって被検体Ｗから検出した微弱なＮＭＲをプリアンプ５４で増幅し、さらに制御ユニット１２で増幅・ＡＤ変換してからコンピュータ１３（図１参照）にそのデータを転送する。コンピュータ１３は、制御ユニット１２によって増幅・ＡＤ変換されたデータに対してフーリエ変換などを行い被検体Ｗの画像を再構成し、モニタ１４に表示する。
【００２７】
磁気共鳴イメージング装置１は、図１に示すように、コンピュータ１３によってグラフィカルユーザインタフェース画面（ＧＵＩ画面）をモニタ１４に表示する。コンピュータ１３は、操作者（不図視）の指示に従って撮像条件にしたがった命令を制御ユニット１２に送る。制御ユニット１２は、コンピュータ１３の命令に従って傾斜磁場発生コイル３と高周波コイル５を適正に駆動する。
【００２８】
具体的には、制御ユニット１２は、制御ユニット１２内の傾斜磁場発生電源（不図示）により電源ケーブル３２，３２を介して傾斜磁場発生コイル３に出力を供給することで、適正な傾斜磁場を発生させる。電源ケーブル３２，３２には、ノイズフィルタ３１，３１が装着されているためノイズを低減することができる。
【００２９】
また、制御ユニット１２は、制御ユニット１２内の高周波発生器（不図示）により高周波パルス照射用ケーブル５２を介して高周波コイル５に出力を供給することで、高周波コイル５から適正な高周波パルスを発生させる。高周波パルス照射用ケーブル５２には、ノイズフィルタ５１が装着されているためノイズを低減することができる。
【００３０】
ガントリー本体部２１は、図２に示すように、被検体収容部２１ａの周りに配設された傾斜磁場発生コイル３，３と、傾斜磁場発生コイル３，３の周りに配設された静磁場発生磁石４と、ガントリー本体部２１の全体を覆うガントリー本体シールド材２１ｂと、ガントリー本体シールド材２１ｂを外側から覆う外郭ガントリーカバー２１ｃと、被検体収容部２１ａ内側を覆うガントリー開口部内ガントリーカバー２１ｄと、を備えている。
【００３１】
ガントリー本体シールド材２１ｂは、傾斜磁場発生コイル３，３および静磁場発生磁石４の周りに配設され高周波ノイズを遮断して低減するシールド部材であり、傾斜磁場発生コイル３，３および静磁場発生磁石４の周りに配設されている。
ガントリー本体シールド材２１ｂは、導電性が高い金属で、磁場分布への影響が少なく磁場分布の変化を起こしにくい材料を採用することが望ましい。
【００３２】
具体的には、材料としてはアルミニウム、銅、銅繊維、ステンレス等を使用し、形態としては板状パネルを採用することができるが、磁界によって生じる渦電流を抑制してシールド性を向上させるために、電導体を網目状に形成した網目状パネル２１ｂ１（図４参照）、小さな貫通孔を多数形成したパンチングメタル状パネル２１ｂ２（図５参照）、多数のスリットＳＴを形成したスリット状パネル（図６参照）、スリット状パネル２１ｂ３のスリットＳＴの向きを異なる方向に並べてスリット状パネル２１ｂ３とスリット状パネル２１ｂ３の間に絶縁材ＲＢを介在して形成した複合パネル２１ｂ４（図７参照）等を採用することができる。
【００３３】
被検体収容部２１ａには、被検体Ｗを載置する天板２１ｅが配設されている。高周波コイル５は、天板２１ｅに着脱自在に配設できるようにして被検体収容部２１ａの中で被検体Ｗに装着してもよいし、被検体Ｗに装着してから被検体Ｗを被検体収容部２１ａに挿入し高周波コイル５を天板２１ｅに配設してもよい。
【００３４】
高周波シールド開閉扉２３は、図２に示すように、高周波ノイズを遮断して低減する開口部シールド材２３ａで覆われた開閉扉であり、開閉扉を閉めた状態で開口部シールド材２３ａとガントリー本体シールド材２１ｂとが密着して重なるように配設され、高周波ノイズを確実に遮断するようになっている。
開口部シールド材２３ａの材質は、ガントリー本体シールド材２１ｂと同様であるため、重複する説明は省略する。
【００３５】
高周波シールド開閉扉２３の開閉手段２４は、図３に示すように、高周波シールド開閉扉２３を回転自在に支持する軸支部材２４ａ，２４ａと、操作者（不図示）が掴んで高周波シールド開閉扉２３を開閉する取っ手２４ｂ，２４ｂと、を備え、軸支部材２４ａ，２４ａを外側に配置して内側から外側へ開く観音扉のようになっている（図３（ｃ）参照）。
【００３６】
なお、高周波シールド開閉扉２３には、適宜被検体Ｗに対して処理をするための麻酔ガス吸引ホースやパイプ、心拍や呼吸を監視するための装置の信号線等を通すための挿通孔（不図示）、空気や酸素を導入するホースやパイプの挿通孔や通風孔（不図示）を形成するが、特に限定されるものではないので詳細な説明は省略する。
【００３７】
かかる構成により、図３（ｃ）と（ｄ）に示すように、開口面積を広く確保することができるため、被検体Ｗおよび高周波コイル５を容易に被検体収容部２１ａから出し入れすることができる。
【００３８】
なお、本実施形態においては、高周波シールド開閉扉２３の開閉手段２４を内側から外側へ開く観音扉のように構成したが、これに限定されるものではなく、図８に示すように、高周波シールド開閉扉２３Ａを上下方向にスライド移動可能に支持して、高周波シールド開閉扉２３Ａを上方に移動させて開き、下方に移動させて閉じるように構成してもよい。
【００３９】
図８は、磁気共鳴イメージング装置１Ａにおけるガントリー２Ａの動作を示し、第１の実施形態における高周波シールド開閉扉２３の開閉手段２４の変形例を示す。図８の（ａ）は被検体収容部に被検体を入れて高周波シールド開閉扉を閉めた状態を示す平面図、（ｂ）は（ａ）の正面図、（ｃ）は高周波シールド開閉扉を上方に開けた状態を示す平面図、（ｄ）は（ｃ）の正面図である。
【００４０】
図８に示すように、変形例に係るガントリー２Ａにおいて、高周波シールド開閉扉２３Ａの開閉手段２４Ａは、上下方向に直線移動可能に支持する直線移動ガイド２４Ａａ，２４Ａａと、操作者（不図示）が掴んで高周波シールド開閉扉２３Ａを上下方向に移動させて開閉する取っ手２４Ａｂ，２４Ａｂと、を備えている。
【００４１】
かかる構成により、高周波シールド開閉扉２３Ａを上方に移動させて開くことで、開口面積を広く確保し、かつ水平方向のデッドスペースを排除することができるため、診察室のスペースを広く確保することができる（図８（ｄ）参照）。
【００４２】
続いて、以上のように構成した本発明の第１の実施形態に係る磁気共鳴イメージング装置１を使用して磁気共鳴画像を撮像する方法について、主として図２と図３を参照しながら説明する。
本発明の実施形態に係る磁気共鳴画像の撮像方法は、静磁場発生磁石４と傾斜磁場発生コイル３とが配設されたガントリー２内の被検体収容部２１ａに被検体Ｗを収容して撮影する磁気共鳴画像の撮像方法であって、被検体Ｗに高周波パルスを照射し被検体Ｗからの微弱なＮＭＲ信号を検出する高周波コイル５を、ガントリー２に配設されたガントリー開口部２２から被検体収容部２１ａに挿入して設置し被検体Ｗを撮像する。
【００４３】
具体的には、磁気共鳴イメージング装置１を使用して、操作者（不図示）は、ガントリー開口部２２に配設された高周波シールド開閉扉２３を開けてガントリー開口部２２を開放するガントリー開口部開放工程と、ガントリー開口部２２から高周波コイル５を挿入して設置する高周波コイル設置工程と、高周波シールド開閉扉２３を閉めてガントリー開口部２２を遮蔽する遮蔽工程と、を実行する。
そして、磁気共鳴イメージング装置１は、ガントリー開口部２２を遮蔽して高周波を電磁シールドした状態で、被検体Ｗを撮像する撮像工程を実行する。
【００４４】
本発明の実施形態に係る磁気共鳴画像の撮像方法は、ガントリー開口部開放工程を有することで、被検体Ｗを出し入れする際の操作性を向上させることができる。そして、被検体Ｗを受け入れるガントリー開口部２２を覆う高周波シールド開閉扉２３を備えたことで、ガントリー開口部２２の高周波電磁シールド性を確保することができるため、ガントリー開口部２２を遮蔽した状態では、ガントリー２全体の高周波電磁シールド性を確保することができる。
【００４５】
このようにして、磁気共鳴イメージング装置１は、ガントリー２の自己シールド性を確保することで、ガントリー２全体を高周波電磁シールドルームに収容する必要がないので、磁気共鳴イメージング装置を狭いスペースに設置することができる。
【００４６】
本発明の実施形態に係る磁気共鳴画像の撮像方法は、ガントリー開口部２２から高周波コイル５を挿入して設置する高周波コイル設置工程を有することで、撮像時に種々の被検体Ｗに合わせて所定の高周波コイル５を装着することができるので、操作性を向上させながら多種多様な被検体Ｗに対して好適に対応することができる。
【００４７】
なお、本実施形態の変形例に係る磁気共鳴イメージング装置１Ａにおける高周波シールド開閉扉２３Ａ（図８参照）についても高周波シールド開閉扉２３と同様の効果を奏するため、重複する詳細な説明は省略する。
【００４８】
続いて、本発明の第２の実施形態に係る磁気共鳴イメージング装置１Ｂについて、図９と図１０を参照しながら詳細に説明する。
磁気共鳴イメージング装置１Ｂを構成するガントリー２Ｂは、第１の実施形態における高周波シールド開閉扉２３に代えて高周波シールドカーテン２３Ｂを採用し、高周波シールドカーテン２３Ｂを開閉する開閉手段２４Ｂを備えている。他の構成については、前記した第１の実施形態と同様であるので、重複する説明は省略する。
【００４９】
高周波シールドカーテン２３Ｂは、導電性が高い金属で、磁場分布への影響が少なく磁場分布の変化を起こしにくい材料を採用するが、一例として銅のメッシュ状繊維のように柔軟性を有し、ひだ状のドレープをなして左右方向に展開させたり（図９（ａ））、収縮させたり（図９（ｃ））することができる。
【００５０】
開閉手段２４Ｂは、高周波シールドカーテン２３Ｂ，２３Ｂをガントリー開口部２２の開閉方向（左右方向）に沿って移動するように上下に配設されたカーテンレール２４Ｂａを備え、高周波シールドカーテン２３Ｂ，２３Ｂを閉じたときには、高周波シールドカーテン２３Ｂ，２３Ｂとガントリー本体シールド材２１ｂ（図２参照）との隙間が生じないように密着できるようになっている。
【００５１】
具体的には、高周波シールドカーテン２３Ｂ，２３Ｂとガントリー本体シールド材２１ｂ（図２参照）とを密着させるように、面ファスナでカーテンの上からガントリー本体シールドへ圧着して固定したり、高周波シールド部材を介在させたりして、隙間が生じないように高周波をシールドすることができる。
【００５２】
高周波シールドカーテン２３Ｂは、図１０に示すように、ドレープ（ひだ）を形成できるように構成され、材質は一例として銅のメッシュ状繊維を使用することができる。
かかる構成により、高周波シールドカーテン２３Ｂは、閉じたときにはガントリー開口部２２を遮蔽し（図９（ａ）と（ｂ）参照）、開いたときには柔軟にドレープを形成してガントリー開口部２２の左右両側に移動させてガントリー開口部２２を開くことができる（図９（ｃ）と（ｄ）参照）。
【００５３】
このようにして、本発明の第２の実施形態に係る磁気共鳴イメージング装置１Ｂは、高周波シールドカーテン２３Ｂを移動させるという簡易な構成および動作によって、被検体Ｗを出し入れする際の操作性を向上させるとともに、撮像時に種々の被検体Ｗに合わせて所定の高周波コイルを装着することができるので、多種多様な被検体Ｗに対して好適に適用することができる。
【００５４】
以上、本発明の実施形態について説明したが、本発明は前記した実施形態に限定されず、適宜変更して実施することが可能である。
例えば、本実施形態においては、高周波シールド開閉扉２３の開閉手段２４として左右や上下に開閉したり、収縮する高周波シールドカーテン２３Ｂを採用したりしたが、これらに限定されるものではなく、磁気共鳴イメージング装置の形状や大きさ等を考慮して蛇腹のように折り畳んで伸縮するものや複数のドアパネルが重なりながら伸縮するスライドドア等を適宜採用することもできる。また、開閉手段２４としては、モータ等の駆動装置を採用したり、ばね等の付勢移動手段を採用したりしてもよい。
【００５５】
また、本実施形態では、被検体が小動物の場合について説明したが、これに限定されるものではなく、人体や植物等に適用することもできる。
【符号の説明】
【００５６】
１，１Ａ，１Ｂ      磁気共鳴イメージング装置
２，２Ａ，２Ｂ      ガントリー
３      傾斜磁場発生コイル（傾斜磁場発生手段）
４      静磁場発生磁石（静磁場発生手段）
５      高周波コイル
１２    制御ユニット
１３    コンピュータ
１４    モニタ
２１ｂ１  網目状パネル
２１ｂ２  パンチングメタル状パネル
２１ｂ３  スリット状パネル
２１ｂ４  複合パネル
２１    ガントリー本体部
２１ａ  被検体収容部
２１ｂ  ガントリー本体シールド材
２１ｃ  外郭ガントリーカバー
２１ｄ  ガントリー開口部内ガントリーカバー
２１ｅ  天板
２２    ガントリー開口部
２３    高周波シールド開閉扉（遮蔽部材）
２３Ａ  高周波シールド開閉扉
２３Ｂ  高周波シールドカーテン
２３ａ  開口部シールド材
２４，２４Ａ，２４Ｂ    開閉手段
２４Ｂａ  カーテンレール
２４ａ  軸支部材
３１    ノイズフィルタ
３２    電源ケーブル
５１    ノイズフィルタ
５２    高周波パルス照射用ケーブル
５３    高周波信号検出用ケーブル
５４    プリアンプ
ＲＢ    絶縁材
ＳＴ    スリット
Ｗ      被検体
【図１】
2016112344.tif 000003
【図２】
2016112344.tif 000004
【図３】
2016112344.tif 000005
【図４】
2016112344.tif 000006
【図５】
2016112344.tif 000007
【図６】
2016112344.tif 000008
【図７】
2016112344.tif 000009
【図８】
2016112344.tif 000010
【図９】
2016112344.tif 000011
【図１０】
2016112344.tif 000012